(57)【要約】【課題】ドリンク等多少の衝撃でもこぼれ易いものを安定的に保持するホルダを幕板によって閉塞される幕板裏側の隙間を有効利用して出し入れ自在にすること。【解決手段】パチンコ遊技機１において、その幕板６には、ドリンク２２を収容するドリンクホルダ２０を出入自在にするためのホルダ出入れ手段３２を有し、ホルダ出入れ手段３２によりドリンクホルダ２０が幕板６から出されたときのドリンクホルダ２０の位置は、当該位置でドリンクホルダ２０にドリンク２２を入れたときに受け皿ユニット３Ａその他遊技機本体構成物にドリンク２２又はドリンクホルダ２０が当接しない位置であることを特徴とする。【選択図】図２
2007330681.tif 000002
【特許請求の範囲】
【請求項１】
遊技媒体が使用される遊技機を遊技場の特定エリアである所定の台に設置するための取付枠と、
この取付枠に着脱自在に取り付けられる遊技機本体と、
この遊技機本体に備えられるとともに、前記遊技媒体を貯留する受け皿が含まれる受け皿ユニットと、
前記遊技機本体が前記取付枠に取り付けられた状態において前記受け皿ユニットよりも下方に設けられ前記取付枠及び前記遊技機本体の間にできる隙間を前面側から塞ぐ幕板とを有する遊技機において、
前記幕板には、収容物を収容する収容ホルダを出入自在にするための収容ホルダ出入れ手段を有し、
この収容ホルダ出入れ手段により前記収容ホルダが前記幕板から出されたときの当該収容ホルダの位置は、当該位置で前記収容ホルダに収容物を入れたときに前記受け皿ユニットその他遊技機本体構成物に当該収容物又は収容ホルダが当接しない位置であることを特徴とする遊技機。
【請求項２】
前記収容ホルダ出入れ手段は、前記収容ホルダを前記幕板に対して回転できるようにするために前記収容ホルダ又は幕板に設けられた軸と、
この軸を回転自在に支持するために前記幕板又は収容ホルダに設けられた軸受け部と、
前記幕板に設けられ、前記収容ホルダを収容する前方に開口された収容凹部とを有し、
前記幕板又は収容ホルダに設けられた軸受け部で前記収容ホルダ又は幕板に設けられた軸を支持した状態で、前記収容ホルダを所定方向に回転すると、当該収容ホルダが水平面内で移動して前記開口経由で前記収容凹部に収容され、当該回転と反対の方向に回転すると、前記収容ホルダが前記水平面内で移動して前記開口経由で前記収容凹部から出されるように、前記軸及び軸受け部が設けられていることを特徴とする請求項１に記載の遊技機。
【請求項３】
前記収容ホルダは、これを前記収容凹部から引き出すための把持部を有することを特徴とする請求項２に記載の遊技機。
【請求項４】
前記収容ホルダは、前記取付枠よりも側方に位置する範囲までその回転角度が許容されていることを特徴とする請求項１〜３のいずれかに記載の遊技機。
【発明の詳細な説明】
【技術分野】
【０００１】
本発明は、遊技機に関し、詳しくは遊技媒体が使用される遊技機に関する。
【背景技術】
【０００２】
パチンコ遊技機、パチスロその他遊技媒体が使用される遊技機が設置される遊技場（以下、ホール）では、いわゆる島と呼ばれる特定エリアに遊技機設置用の所定の台（以下、島台）が設置され、当該島台に複数の遊技機が設置される。
【０００３】
図１２は、パチンコ遊技機１がユニットで島台２に設置された一例である。島台２の台面２ａには、その長手方向にパチンコ遊技機１が複数配列される（図１２ではパチンコ遊技機は１台のみ示す。）。また、パチンコ遊技機１の前面には、遊技実行にあたって必須品である球受け皿３及び操作ハンドル４以外に、ドリンクホルダ、灰皿その他の付属品（図面では灰皿３ａのみ示す）が別々に設けられている。
【０００４】
この明細書で前とは、図１２において遊技者がパチンコ遊技機１と向き合った場合において、遊技者の手前側をいい、後ろとは同じく遊技者の向こう側をいい、上・下及び左・右は同じく遊技者の上側・下側及び左側・右側をいうことにする。
【０００５】
パチンコ遊技機１を島台２に設置するには、島台２に固定的に取り付けられている矩形状の取付枠５を用いて、遊技機本体１ａを一台一台設置する。そして、前記必須品や付属品を備えた遊技機本体１ａと、取付枠５と、球受け皿３よりも下方に設けられ、取付枠５及び遊技機本体１ａの間に両者の寸法差に起因してできる隙間を前面側から塞ぐ幕板６とを有するものを１ユニットとする。
【０００６】
なお、台面２ａのうち幕板６の前方に延在し、パチンコ遊技機１の幅寸法にあたるスペースＳは、主としてパチンコ球を収容するパチンコ球収容箱９が置かれる配置用スペースとして確保される。
【０００７】
ところで、近年のパチンコ遊技機は、球受け皿が大容量であり、そのため付属品としてのドリンクホルダや灰皿を遊技機本体１ａに設けることは、スペースの関係で難しくなっている。
【０００８】
このため、遊技機本体１ａに灰皿やドリンクホルダを設けず、前記スペースＳに灰皿やドリンクを直接置くようにするという選択もある。しかし、その場合、灰皿をホール側で配る面倒や、スペースＳに置かれたドリンクに遊技者がはずみで接触しこぼしてしまうなどの問題がある。
【０００９】
また、パチンコ遊技に興じながらの喫煙は、パチンコホール独特のスタイルであり、禁煙を遊技者に強要したり、禁煙環境を調えたりすることは、禁煙が浸透しつつある今日であっても、ホール側にとっては、集客上、抵抗がある。加えて長時間遊技する場合、飲食しながら遊技するプレーヤーもいる。よって遊技中の禁煙や飲食を禁止するという選択は、今のところ現実的でない。
【００１０】
そこで、灰皿を受け皿と一体に設けた受け皿ユニットを遊技機本体に設置し、ドリンクホルダについては、遊技機本体に設置するのではなく、取付枠に取り付けたものが提案されている。しかし取付枠におけるドリンクホルダの取り付け箇所は、台面から上方に離れた箇所であり、その関係で比較的ぶれが大きくなり易い。このため、少しの揺れでもドリ
ンクホルダに保持されているドリンク容器のドリンクがこぼれ易いという感がある。
【００１１】
一方、遊技者が所有する携帯電話やキーホルダーその他の小物を遊技中に収容できるスペースを確保したいという要望があった。また、取付枠及び遊技機本体の間にできる幕板で覆われる幕板裏側の隙間は、デッドスペースとなっている。したがって、その有効利用が求められていた。
【特許文献１】特開２００３−７２４４９号公報
【発明の開示】
【発明が解決しようとする課題】
【００１２】
本発明はこのような実情に鑑みてなされたものであり、その解決しようとする課題は、ドリンク等多少の衝撃でもこぼれ易いもの、及び遊技者が所有する携帯電話、キーホルダーその他の小物を安定的に保持するとともに、幕板によって閉塞される幕板裏側の隙間を有効利用してデッドスペースを減らすことができる技術を提供することにある。
【課題を解決するための手段】
【００１３】
本発明の外枠ユニットは、前記課題を解決するため、以下の手段を採用した。
【００１４】
すなわち本発明の遊技機は、遊技媒体が使用される遊技機をホールの島台に設置するための取付枠と、この取付枠に着脱自在に取り付けられる遊技機本体と、この遊技機本体に備えられるとともに、前記遊技媒体を貯留する受け皿が含まれる受け皿ユニットと、前記遊技機本体が前記取付枠に取り付けられた状態において前記受け皿ユニットよりも下方に設けられ前記取付枠及び前記遊技機本体の間にできる隙間を前面側から塞ぐ幕板とを有する遊技機において、前記幕板には、収容物を収容する収容ホルダを出入自在にするための収容ホルダ出入れ手段を有し、この収容ホルダ出入れ手段により前記収容ホルダが前記幕板から出されたときの当該収容ホルダの位置は、当該位置で前記収容ホルダに収容物を入れたときに前記受け皿ユニットその他遊技機本体構成物に当該収容物又は収容ホルダが当接しない位置であることを特徴とするようにした。
【００１５】
収容物とは、遊技者が遊技中に摂取するドリンクその他の飲食物、遊技者が所有する携帯電話、キーホルダーその他の小物を挙げられる。
【００１６】
受け皿ユニットとは、遊技媒体を貯留する受け皿に、灰皿その他の備品を一体に設けたものをいう。
【００１７】
本発明の遊技機によれば、遊技機のうち遊技機本体とは別物の幕板に収容ホルダが設けられているから遊技機本体には収容ホルダを備える必要がない。したがってその分、遊技機本体に具備される受け皿ユニットの設置スペースに余裕ができる。受け皿ユニットの設置スペースに余裕ができれば、受け皿は勿論、灰皿その他の備品の容量も増大することができる。
【００１８】
また、これまでは取付枠と遊技機本体との間の隙間を前面側から塞ぐだけであった幕板に対し、収容ホルダ出入れ手段により収容ホルダを出入自在にできるため、幕板裏側の隙間を有効利用できる。
【００１９】
さらに、収容ホルダ出入れ手段により収容ホルダが幕板から出されたときの収容ホルダの位置は、当該位置で収容ホルダに収容物を入れたとき、前記受け皿ユニットその他遊技機本体構成物に当該収容物又は収容ホルダが当接しない位置である。したがって、収容ホルダの使用にあたって妨げになるものがないので、その使い勝手がよい。
【００２０】
前記収容ホルダ出入れ手段は、前記収容ホルダを前記幕板に対して自在に回転できるようにするために前記収容ホルダ又は幕板に設けられた軸と、この軸を回転自在に支持するために前記幕板又は収容ホルダに設けられた軸受け部と、前記幕板に設けられ、前記収容ホルダを収容する前方に開口された収容凹部とを有し、前記幕板又は収容ホルダに設けられた軸受け部で前記収容ホルダ又は幕板に設けられた軸を支持した状態で、前記収容ホルダを所定方向に回転すると、当該収容ホルダが水平面内で移動して前記収容凹部に収容され、当該回転と反対の方向に回転すると、前記収容ホルダが前記水平面内で移動して前記収容凹部から出されるように、前記軸及び軸受け部が設けられている。収容ホルダが、水平面内で移動できるようにするために、例えば軸と軸受けを仮想の垂直面内に同軸上に設けることが考えられる。
【００２１】
収容ホルダを収容凹部から水平に出し入れすることができるので、収容ホルダに収容物を入れた状態で移動しても収容物が安定する。したがって、収容物がドリンク等のこぼれ易いものであっても収容ホルダを安定して移動することができる。よって多少の衝撃があっても収容ホルダ内の収容物が揺れ難い。
【００２２】
さらに収容ホルダは、受け皿ユニットよりも下方、すなわち遊技機本体よりも下方にある幕板に設けられているので、それよりも上部に収容ホルダを設ける場合よりも安定感がある。さらに、軸と軸受けによる簡単な構造で収容ホルダを移動できるので、故障が少ない。
【００２３】
前記収容凹部から収容ホルダを引き出すための把持部を設けることもできる。把持部があるので、収容ホルダの出し入れが容易である。
【００２４】
収容ホルダは、前記取付枠よりも側方（外方）に位置する範囲までその回転角度が許容されるようにすることもできる。このようにすることで、隣の遊技機が使用されていないときは、収容ホルダを当該隣の遊技機にまで移動することで、収容ホルダを実際には使用していても遊技者と遊技機との間に収容ホルダがない状態にすることができる。
【００２５】
よって、その分、遊技者と遊技機との間のスペースに余裕ができる。この結果、遊技者は遊技をし易くなる。なお隣の遊技機が使用されている場合は、隣接する遊技機との境界線にまで収容ホルダを移動することが可能である。この場合でも収容ホルダを遊技に邪魔にならない箇所におくことができる。
【発明の効果】
【００２６】
本発明の遊技機にあっては、遊技機本体に収容ホルダを備える必要がなく、よってその分遊技機本体に具備される受け皿ユニット等の設置スペースに余裕ができる。このため、受け皿ユニットの容量を大きくしても、それらを本体前面に余裕をもって設けることができる。
【００２７】
また、収容ホルダは遊技機本体の受け皿よりも下方、すなわち遊技機本体の下方に配置されている幕板に設けられているので、安定感がある。このため収容ホルダにドリンクの入った容器を収容物として入れても、ドリンク容器が比較的安定して保持される。したがって、多少の衝撃を受けてもドリンク容器内のドリンクをこぼれ難くすることができる。
【００２８】
さらに、幕板にはドリンクの入ったドリンク容器が入れられる収容ホルダが出入自在に設けられるので、幕板によって閉塞されている幕板裏側の隙間の有効利用を図ることができるため、デッドスペースを減らすことができる。
【発明を実施するための最良の形態】
【００２９】
以下、図面を参照して本発明に係る遊技機ユニットの好適な実施形態を説明する。
【実施例１】
【００３０】
図１〜図８を参照して実施例１に係るパチンコ遊技機１Ａを説明する。
【００３１】
本発明に係るパチンコ遊技機１Ａが、従来技術で述べたパチンコ遊技機１と異なる点は、幕板６に収容ホルダとしてのドリンクホルダ２０が設けられている点、球受け皿と灰皿とが一体成形されて受け皿ユニット３Ａにされている点だけである。よって同一部分には同一符号を付して説明を省略する。
【００３２】
幕板６の左側部位には、引き出し状のドリンクホルダ２０が備えられている（図１〜図３並びに図６の白抜き矢印参照）。ドリンクホルダ２０は、全体が箱状をしており、その手前部分には、ドリンクホルダ２０の把持部２１が形成されている。またドリンクホルダ２０の中央には上方へ開口され中にドリンク２２（正しくは飲料の入る又は入った容器）が入れられる円筒孔２０ａが形成されている。ドリンクホルダ２０のうち円筒孔２０ａが形成されている部分をドリンク収容部と呼称し、符号２０ｂで示す。
【００３３】
幕板６の内部には、ドリンクホルダ２０を出し入れするために前方に開口するホルダ収容凹部２４を有する。そしてホルダ収容凹部２４の開口２４ａに対して、ドリンクホルダ２０は、前後にスライドしながら出し入れされる。ドリンクホルダ２０をスライドさせるためにドリンク収容部２０ｂの左右両側面には、上下に離されて一対のレール条溝２５・２５が形成され、ホルダ収容凹部２４の開口２４ａの側縁には、このレール条溝２５・２５に嵌る短寸のレール短条２８・２８が形成されている（図８参照）。 また、ドリンク
ホルダ２０の後端面には、ドリンクホルダ２０の引き出し量を制限するために両側に張り出す張出しフランジ２０ｃが形成されている（図６参照）。レール条溝２５・２５にレール短条２８・２８が嵌った状態にあることで、ドリンクホルダ２０は安定して引き出される。
【００３４】
但し、レール条溝２５・２５及びレール短条２８・２８は、ドリンクホルダ２０を出し入れするにあたって必須ではない。
【００３５】
張出しフランジ２０ｃは、幕板６の内面のうちホルダ収容凹部２４の開口２４ａの周囲の面６ａと対向しており、ドリンクホルダ２０が最大に引き出されたときに内面６ａに当接し、それ以上ドリンクホルダ２０を引き出すことができないようにするためのものである（図６参照）。
【００３６】
そしてホルダ収容凹部２４と、このホルダ収容凹部２４をスライド可能なドリンク収容部２０ｂとを、ドリンクホルダ２０を幕板６に対して出入れ自在にするためのホルダ出入れ手段３２ということにする（図６及び図７参照）。
【００３７】
ホルダ出入れ手段３２によりドリンクホルダ２０が幕板６から出されたときのドリンクホルダ２０の位置は、当該位置でドリンクホルダ２０にドリンク２２を入れたときに受け皿ユニット３Ａその他遊技機本体構成物にドリンク２２又はドリンクホルダ２０が当接しない位置とされている。
【００３８】
さらに、ドリンクホルダ２０を出した状態で、ドリンクホルダ２０にパチンコ球収納箱９を当接させると（図１〜図５等参照）、パチンコ球収納箱９は、スペースＳの左右方向においてそれ以上左側には移動できない。すなわち位置規制がなされる。
【００３９】
位置規制がなされると、パチンコ球収納箱９は、受け皿ユニット３Ａの図示しない排出
孔の真下に置かれる。よって、パチンコ球収納箱９を当接させるドリンクホルダ２０Ａはパチンコ球収納箱９の位置規制手段ともなりえる。
【００４０】
受け皿ユニット３Ａの排出孔は、遊技機本体１ａの幅方向中央に位置する。よって、位置規制されたパチンコ球収納箱９は遊技機本体１ａの正面中央に位置されるようになる。
【００４１】
加えて、ドリンクホルダ２０は、これがホルダ収容凹部２４から出された時に、その状態を保持する保持手段２６によって固定される（図６参照）。
【００４２】
保持手段２６は、ドリンクホルダ２０の側面のうちパチンコ球収納箱９の置かれる側の反対側に設けられた係止溝２６ａと、係止溝２６ａと係止及び係止解除の関係にあるストッパ２６ｂとからなる。ストッパ２６ｂは、幕板６の正面に設けられた左右方向に延びるスライド溝６ｂをスライド自在に移動できるように取り付けられている。
【００４３】
そして、ドリンクホルダ２０を出した状態において、ストッパ２６ｂをドリンクホルダ２０側に向けてスライドするとストッパ２６ｂは係止溝２６ａと係止され、これと反対の側にスライドすると当該係止が解除される。係止解除の状態でドリンクホルダ２０をホルダ収容凹部２４に収納することができる（図６の二点鎖線参照）。
【００４４】
また、ドリンクホルダ２０の側面のうち保持手段２６のある側と反対の側には、スポンジその他の弾性体４０が取り付けられている。
【００４５】
次に実施例１の作用効果について述べる。
【００４６】
パチンコ遊技機１によれば、幕板６にドリンクホルダ２０が設けられているから、遊技機本体１ａにはドリンクホルダ２０が備えられない。したがってその分、遊技機本体１ａに具備される受け皿ユニット３Ａの設置スペースに余裕ができる。受け皿ユニット３Ａの設置スペースに余裕ができれば、パチンコ球を受ける受け皿は勿論、灰皿その他の備品の容量も増大できる。
【００４７】
ドリンクホルダ２０は遊技機本体１ａの受け皿ユニット３Ａよりも下方、すなわち遊技機本体１ａの下方に配置されている幕板６に設けられているので、それよりも上部にドリンクホルダを取り付けた場合と比較して安定感がある。このためドリンクホルダ２０にドリンク２２を入れても、ドリンク２２が比較的安定して保持される。したがって、多少の衝撃を受けてもドリンクをこぼれ難くすることができる。
【００４８】
また、これまでは取付枠５と遊技機本体１ａとの間の隙間を前面側から塞ぐだけであった幕板６に、ドリンクホルダ２０が、ホルダ出入れ手段３２により、出し入れ自在に設置されたため、幕板６の裏側の隙間を有効に利用することができる。この結果、デッドスペースを減らすことができる。
【００４９】
さらに、ホルダ出入れ手段３２によりドリンクホルダ２０が幕板６から出されたときのドリンクホルダ２０の位置は、当該位置でドリンクホルダ２０にドリンク２２を入れたとき、前記受け皿ユニット３Ａその他遊技機本体構成物にドリンク２２が当接しない位置である。したがって、ドリンクホルダ２０の使用にあたってその妨げになるものがないので、ドリンクホルダ２０の使い勝手がよい。
【００５０】
位置規制手段であるドリンクホルダ２０を幕板６から出し、パチンコ球収納箱９をドリンクホルダ２０に当接させた状態でスペースＳに置けば、パチンコ球収納箱９は、スペースＳの左右方向においてドリンクホルダ２０と当接する側へはそれ以上移動できない。す
なわち、パチンコ球収納箱９は、スペースＳに置かれたときに常に同じ位置に配置されるようになる。
【００５１】
しかも当該位置は、パチンコ球収納箱９を遊技機本体１ａの正面中央に位置させるものであるから、複数のパチンコ遊技機１が取り付けられている島台２において、各遊技機ごとのスペースＳにパチンコ球収納箱９をドリンクホルダ２０に当接させた状態で配置すると、島台２には、複数のパチンコ球収納箱９が規則正しく整然と配置されるようになる。
【００５２】
また、保持手段２６により、ドリンクホルダ２０が幕板６から出ている状態を保持することができるので、その場合、ドリンクホルダ２０がホルダ収容凹部２４に引っ込んでしまったり、ドリンクホルダ２０の幕板６からの突出量が少ないということがない。このためにパチンコ球収納箱９をドリンクホルダ２０に当接させることを確実に行える。
【００５３】
さらにスポンジその他の弾性体４０がドリンクホルダ２０の側面のうちパチンコ球収納箱９が置かれる側に取り付けられているので、ドリンクホルダ２０にパチンコ球収納箱９が当たった時に両者に生ずる衝撃を緩和することができる。
【実施例２】
【００５４】
図９〜図１１を用いて実施例２について述べる。
【００５５】
実施例２が実施例１と相違する点は、ドリンクホルダの形状及びドリンクホルダを幕板に対して出し入れするためのホルダ出入れ手段の構造並びにその構造上の相違に関連する部分である。よって当該相違部分のみ説明する。なお、実施例１と同一部分には同一符号を付して説明は省略する。
【００５６】
実施例２におけるドリンクホルダ２０Ａは、比較的扁平な直方体の一隅を円弧に切除したごとき形状体であり、その中央にドリンク２２の入れられる円筒孔２０ａが形成されている（図９，図１１参照）。具体的に述べれば、ドリンクホルダ２０Ａは、図１１に示すようにこれを平面で見た場合において平行に延びる長・短一対の対向辺５０・５２と、当該対向辺５０・５２をそれらの一端側で連結する円弧状の円弧辺５３と、対向辺５０・５２をそれらの他端側で連結する直線状の直線連結辺５４とからなり、直線連結辺５４と短めの対向辺５２とが交叉する隅部５５はアールが付けられている。
【００５７】
また、長めの対向辺５０と直線連結辺５４とが交叉する隅部５６（図９参照）は、ドリンクホルダ２０Ａの回転中心ｃを有する。円弧辺５３の曲率半径ｒ（図１０参照）は長めの対向辺５０と同じ長さであり、長めの対向辺５０は開口２４ａの間口寸法と同じ長さである。長めの対向辺５０を含む面Ａ１には把持部２１が形成されている（図１０参照）。隅部５６は、面Ａ１の一端縁に沿って下方に延びる突出した突条部である。隅部５６の中を次に述べるホルダ出入れ手段３２Ａの軸５８が貫通している。
【００５８】
そしてドリンクホルダ２０Ａをホルダ収容凹部２４Ａに対して出し入れするホルダ出入れ手段３２Ａは、ドリンクホルダ２０Ａの隅部５６に設けられ垂直方向に延びる軸５８と、この軸５８を回転自在に支持するためにホルダ収容凹部２４Ａの開口２４ａの一側縁に沿って仮想の垂直面内に設けられた一対の軸受け部６０・６０とを有する機構である。
【００５９】
なお、軸受け部６０・６０と軸５８の形成箇所をドリンクホルダ２０Ａの隅部５６と開口２４ａの一側縁とで入れ替えて、ドリンクホルダ２０Ａに軸受け部６０を設け、開口２４ａに軸５８を設けたものでもよい。要はドリンクホルダ２０Ａを幕板６に対して回動できるようになっていればよい。
【００６０】
仮想の垂直面内に軸５８と軸受け部６０とが設けられているホルダ出入れ手段３２Ａにより、ドリンクホルダ２０Ａは、仮想の水平面内において回転自在とされる。そして、ホルダ出入れ手段３２Ａによりドリンクホルダ２０Ａが所定の方向（図１１において時計周り）に回転されると、ドリンクホルダ２０は、ホルダ収容凹部２４Ａの開口２４ａから幕板６の外部に出され、所定の方向と反対方向（図１１において反時計周り）に回転されるとホルダ収容凹部２４Ａに収納されて幕板６に入る（図９、図１０参照）。ドリンクホルダ２０Ａの回転中心を符号ｃで示す（図１１参照）。
【００６１】
また、ドリンクホルダ２０は、前記取付枠５よりもさらに側方（隣席側）に位置する範囲までその回転角度が許容されている（図１１参照）。この実施形態では、ドリンクホルダ２０を最大に回転して出したときに前記直線連結辺５４を含む面Ａ２が、幕板６と直交するようにされている（図９，図１１参照）。
【００６２】
次に実施例２の作用効果について述べる。
【００６３】
ドリンクホルダ２０Ａは、軸５８を軸受け部６０で支持された状態で回転中心ｃの周りを回転する。ドリンクホルダ２０Ａをホルダ収容凹部２４Ａの開口２４ａから水平に出し入れすることができるので、ドリンクホルダ２０Ａにドリンク２２を入れた状態で移動してもドリンク２２が安定する。
【００６４】
したがって、ドリンク等のこぼれ易いものであってもドリンクホルダ２０Ａを安定して移動することができる。また、ドリンクホルダ２０Ａが水平にしか動かないので、ドリンクホルダ２０Ａが何らかの衝撃を受けてもドリンク２２を安定して移動することができる。さらにドリンクホルダ２０Ａは、受け皿ユニット３Ａよりも下方、すなわち遊技機本体の下方にある幕板６に設けられているのでドリンクホルダ２０Ａをそれよりも上方に設けた場合と比較して安定感がある。加えて、軸と軸受けによる簡単な構造でドリンクホルダ２０Ａを回動できるので、故障が少ない。
【００６５】
ドリンクホルダ２０Ａに把持部２１があるので、ドリンクホルダ２０Ａの出し入れが容易である。ドリンクホルダ２０Ａは、取付枠５よりも側方に位置する範囲までその回転角度が許容されるので、隣接するパチンコ遊技機が使用されていないときは、ドリンク２２が入っているドリンクホルダ２０Ａを当該隣のパチンコ遊技機にまで移動することで、ドリンクホルダ２０Ａを実際には使用していても遊技者とパチンコ遊技機との間にドリンクホルダ２０Ａがない状態にすることができる。
【００６６】
よって、遊技者とパチンコ遊技機１Ａとの間のスペースに余裕ができる。この結果、遊技者は遊技をし易くなる。なお隣のパチンコ遊技機が使用されている場合は、隣接するパチンコ遊技機との境界線にまでドリンクホルダ２０Ａを移動することが可能である。この場合でもドリンクホルダ２０Ａを遊技に邪魔にならない箇所におくことができる。
【００６７】
また、実施例２にあっては、ホルダ収容凹部２４Ａからドリンクホルダ２０Ａを最大に回転して出したときに前記直線連結辺５４を含む面Ａ２が、幕板６と直交するようになるので、ドリンクホルダ２０Ａの面Ａ２にパチンコ球収納箱９を当接させた状態でパチンコ球収納箱９を台面２ａに置けば、パチンコ球収納箱９は、台面２ａの左右方向においてドリンクホルダ２０の側である左側へはそれ以上移動できない。よって、パチンコ球収納箱９の位置規制ができる。
【００６８】
なお、本発明は、上述の図示例にのみ限定されるものではなく、本発明の要旨を逸脱しない範囲内において種々変更を加え得ることは勿論である。例えばドリンクホルダの代わりに、遊技者が所有する携帯電話やキーホルダーその他の小物を入れるようにした容器で
あってもその出し入れが可能となる。
【図面の簡単な説明】
【００６９】
【図１】本発明遊技機の実施例１に係るパチンコ遊技機が島台に載置されている状態を示す全体斜視図である。
【図２】図１の要部拡大図であってドリンクホルダが幕板から出されている状態を示す図である。
【図３】図２の状態からドリンクホルダが収納された状態を示す図である。
【図４】図１の正面図である。
【図５】図４のＶ−Ｖ線概略断面図である。
【図６】図５の領域ＶＩの拡大図である。
【図７】図４のＶＩＩ−ＶＩＩ線概略拡大断面図である。
【図８】ドリンクホルダが幕板から出ている状態を図２の反対方向から見た拡大斜視図である。
【図９】本発明遊技機の実施例２に係るパチンコ遊技機の要部拡大斜視図であって、図８に相当する図である。
【図１０】図９の状態からドリンクホルダを幕板に入れた状態を示す図である。
【図１１】ドリンクホルダが幕板から出ている状態のパチンコ遊技機の一部を切り欠いて示す平面図である。
【図１２】従来技術を説明するための図であって島台の一部を拡大して示す図である。
【符号の説明】
【００７０】
１ パチンコ遊技機（遊技機）
１Ａ パチンコ遊技機
１ａ （遊技機本体）
２ 島台（所定の台）
２ａ 台面
３ 球受け皿
３ａ  灰皿
３Ａ （受け皿ユニット）
４ 操作ハンドル
５ （取付枠）
６ （幕板）
６ａ  幕板の内面
６ｂ スライド溝
９ パチンコ球収納箱
２０ ドリンクホルダ（収容ホルダ）
２０Ａ ドリンクホルダ（収容ホルダ）
２０ａ 円筒孔
２０ｂ ドリンク収容部
２０ｃ フランジ
２１ （把持部）
２２ ドリンク
２４ ホルダ収容凹部
２４Ａ ホルダ収容凹部（収容凹部）
２４ａ ホルダ収容凹部の開口
２５ レール条溝
２６ 保持手段
２６ａ 係止溝
２６ｂ ストッパ
２８ レール条
３２ ホルダ出入れ手段（収容ホルダ出入れ手段）
３２Ａ ホルダ出入れ手段（収容ホルダ出入れ手段）
４０ 弾性体
５０ 長めの対向辺
５２ 短めの対向辺
５３ 円弧辺
５４ 直線連結辺
５６ 一隅
５８ （軸）
６０ （軸受け部）
Ａ１ 長めの対向辺を含む面
Ａ２ 直線連結辺を含む面
Ｓ スペース
ｃ 実施例２に係るドリンクホルダの回転中心
ｒ 実施例２に係るドリンクホルダの曲率半径
【図１】
2007330681.tif 000003
【図２】
2007330681.tif 000004
【図３】
2007330681.tif 000005
【図４】
2007330681.tif 000006
【図５】
2007330681.tif 000007
【図６】
2007330681.tif 000008
【図７】
2007330681.tif 000009
【図８】
2007330681.tif 000010
【図９】
2007330681.tif 000011
【図１０】
2007330681.tif 000012
【図１１】
2007330681.tif 000013
【図１２】
2007330681.tif 000014